(57)【要約】  【課題】  稼働中の装置が停止したときに適切なリカバリーができる写真プリント管理装置を提供する。  【解決手段】  前記写真プリンタが強制停止したときに、プリントジョブリストに基づいて未出力のプリントジョブが実行されるように前記プリントジョブリストを補正する補正処理部５４を備えてなる写真プリント管理装置であって、前記補正処理部５４が、補正されたプリントジョブリストを表示するジョブリスト表示部としてのモニタ３４と、表示されたプリントジョブリストから必要なプリントジョブを確定入力する補正入力部としてのキーボード３５やマウス３６を備え、前記補正入力部による確定入力に基づいて前記プリントジョブリストを補正する。【選択図】  図１
2007148620.tif 000002
【特許請求の範囲】
【請求項１】
注文情報入力部から入力された写真プリント注文情報に基づいてプリントジョブリストを生成するジョブリスト生成処理部と、前記プリントジョブリストに基づいてプリントデータを写真プリンタに出力し、前記写真プリンタから入力されるプリント出力情報に基づいて前記プリントジョブリストを更新するジョブリスト更新処理部と、前記写真プリンタが強制停止したときに、前記プリントジョブリストに基づいて未出力のプリントジョブが実行されるように前記プリントジョブリストを補正する補正処理部を備えてなる写真プリント管理装置であって、
前記補正処理部は補正されたプリントジョブリストを表示するジョブリスト表示部と、表示されたプリントジョブリストから必要なプリントジョブを確定入力する補正入力部とを備え、前記補正入力部による確定入力に基づいて前記プリントジョブリストを補正する写真プリント管理装置。
【請求項２】
前記ジョブリスト表示部により表示されるジョブリストは、少なくとも前記写真プリンタで生成される写真プリントに印字される注文管理番号を含む請求項１記載の写真プリント管理装置。
【発明の詳細な説明】
【技術分野】
【０００１】
本発明は、写真フィルムに撮影されたコマ画像がフィルムスキャナを介して入力され、或いはデジタルカメラで撮影された写真画像がメディアドライブを介して入力されたデジタルの画像データに基づいて写真プリントを生成する写真プリント管理装置に関し、詳述すると、注文情報入力部から入力された写真プリント注文情報に基づいてプリントジョブリストを生成するジョブリスト生成処理部と、前記プリントジョブリストに基づいてプリントデータを写真プリンタに出力し、前記写真プリンタから入力されるプリント出力情報に基づいて前記プリントジョブリストを更新するジョブリスト更新処理部と、前記写真プリンタが強制停止したときに、前記プリントジョブリストに基づいて未出力のプリントジョブが実行されるように前記プリントジョブリストを補正する補正処理部を備えてなる写真プリント管理装置に関する。
【背景技術】
【０００２】
プリントジョブリストに基づいてプリントすべき画像データと当該画像データに対応する注文情報がプリントデータとして写真プリント管理装置から写真プリンタに入力されると、写真プリンタは注文情報に基づいて写真プリントを生成して出力する。このような写真プリンタでは、通常、複数枚の写真プリントが装置内で処理されている。例えば、銀塩写真プリンタでは所定サイズにカットされた印画紙が搬送されながら露光、現像、漂白、定着、乾燥等のプロセスを経て出力され、インクジェットプリンタでは所定サイズにカットされた用紙が搬送されながら印字、乾燥等のプロセスを経て出力される。
【０００３】
上述の写真プリント管理装置では、ジョブリスト更新処理部により写真プリンタから出力されたプリント出力情報に基づいてジョブリストが更新処理され、未出力の写真プリントが常に管理されている。
【０００４】
そして、稼働中の写真プリンタに紙詰まり等の異常が発生し、或いはオペレータにより不用意に電源が切られて停止したときには、装置内部に残った印画紙等が取り除かれた後に残りのプリント処理が再開されるのであるが、このとき補正処理部により未出力の写真プリントがリカバリーされるようにプリントジョブリストが補正される。
【発明の開示】
【発明が解決しようとする課題】
【０００５】
しかし、上述した従来の写真プリント管理装置では、補正処理部により未出力の写真プリントがリカバリーされるようにプリントジョブリストが補正されるものであったため、装置が停止したときに装置内に残された処理中の写真プリントが一律に再プリントされるように補正されるものであったので、商品として使用可能なものがある場合でも重複して再プリントされることとなり、経済性の観点においてさらなる改良の必要があった。例えば、銀塩写真プリンタでは露光、現像、漂白、定着の各プロセスが終了し、乾燥処理中の写真プリントであれば、目視によりそのまま商品として使用できると判断できる場合もあるのである。
【０００６】
本発明は、上述した従来の問題点に鑑み、稼働中の装置が停止したときに適切なリカバリーができる写真プリント管理装置を提供することを目的とする。
【課題を解決するための手段】
【０００７】
上述の目的を達成するため、本発明による写真プリント管理装置の第一の特徴構成は、特許請求の範囲の書類の請求項１に記載した通り、注文情報入力部から入力された写真プリント注文情報に基づいてプリントジョブリストを生成するジョブリスト生成処理部と、前記プリントジョブリストに基づいてプリントデータを写真プリンタに出力し、前記写真プリンタから入力されるプリント出力情報に基づいて前記プリントジョブリストを更新するジョブリスト更新処理部と、前記写真プリンタが強制停止したときに、前記プリントジョブリストに基づいて未出力のプリントジョブが実行されるように前記プリントジョブリストを補正する補正処理部を備えてなる写真プリント管理装置であって、前記補正処理部は補正されたプリントジョブリストを表示するジョブリスト表示部と、表示されたプリントジョブリストから必要なプリントジョブを確定入力する補正入力部とを備え、前記補正入力部による確定入力に基づいて前記プリントジョブリストを補正する点にある。
【０００８】
上述の構成によれば、写真プリンタが強制停止したときに、補正処理部が補正入力部による確定入力に基づいてプリントジョブリストを補正するため、ユーザは、前記写真プリンタが再起動したときに、前記写真プリンタからリプリントする必要のない写真プリントに対するプリントジョブデータを前記プリントジョブリストから削除するとともに、リプリントする必要のある写真プリントに対するプリントジョブデータのみを残すことができるのである。つまり、写真プリンタが強制停止したときに、目視によりそのまま商品として使用できると判断できる写真プリントがあったときに、前記使用できると判断できる写真プリントに対応するプリントジョブデータを前記プリントジョブリストから削除すれば、前記写真プリンタが再起動したときに、商品として使用できると判断できる写真プリントと同一の写真プリントを重複して写真プリンタから出力させずに、必要な写真プリントのみを出力させることができるのである。
【０００９】
同第二の特徴構成は、同請求項２に記載した通り、上述の第一特徴構成に加えて、前記ジョブリスト表示部により表示されるジョブリストは、少なくとも前記写真プリンタで生成される写真プリントに印字される注文管理番号を含む点にある。
【００１０】
上述の構成とすることにより、ユーザは、写真プリントに印字されている注文管理番号と、前記ジョブリスト表示部に表示されたジョブリストにより、使用できると判断できる写真プリントに対応するプリントジョブデータを容易に確認することができるのである。
【発明の効果】
【００１１】
以上説明した通り、本発明によれば、稼働中の装置が停止したときに適切なリカバリーができる写真プリント管理装置を提供することができるようになった。
【発明を実施するための最良の形態】
【００１２】
以下、本発明による写真プリント管理装置を写真処理システムに適用した実施形態について説明する。前記写真処理システム１の外観構成は、図２に示すように、ユーザから設定入力される写真プリント注文情報に基づいてデジタル画像データを編集処理するとともに、前記写真プリント注文情報や前記編集処理されたデジタル画像データに基づいてプリントデータを生成出力する写真プリント管理装置３と、前記写真プリント管理装置３から入力される前記プリントデータに基づいて所定のプリントジョブを実行する銀塩式写真プリンタとしての写真プリンタ２を備え、前記デジタル画像データに基づいた写真プリントが前記写真プリンタ２から出力されるように構成されている。
【００１３】
前記写真プリンタ２の概観構成は図２、図３に示すように、感光材料としてのロール状の印画紙Ｐａを収容し、また、感光材料供給部として前記印画紙Ｐａを供給する二系統の印画紙マガジン２１と、前記印画紙マガジン２１から供給された印画紙Ｐａを所定のプリントサイズに切断するシートカッター２２と、前記切断後の印画紙Ｐａの背面に画像番号等の注文管理番号を印字するバックプリント部２３と、前記プリントデータに基づいて前記印画紙Ｐａを露光する露光処理部２４と、前記露光処理後の印画紙Ｐａを現像、漂白、定着するといった現像処理を行うための各種処理液が充填された複数の処理槽２５ａ、２５ｂ、２５ｃとしての現像処理部２５と、前記現像処理後の印画紙Ｐａを自然乾燥処理するための乾燥処理部２９と、前記乾燥処理された印画紙Ｐａが写真プリントＰｅとして排出される横送りコンベア２６と、前記横送りコンベア２６に排出される写真プリントＰｅを検知する写真プリント検知手段３０と、前記横送りコンベア２６に排出された写真プリントＰｅを所定の条件で仕分けるソータ２７を備えて構成されている。
【００１４】
前記露光処理部２４は、前記写真プリント管理装置３から入力されるプリントデータに基づいて前記印画紙Ｐａを送りながらＲ（赤）、Ｇ（緑）、Ｂ（青）の３原色の光線の露光を行う露光ヘッドを備え、露光時には前記印画紙Ｐａを副走査方向に搬送しながら、この搬送速度と同期して主走査方向に沿ったライン状に露光を行うよう構成されている。また、前記露光ヘッドとしては、露光仕様に応じて、蛍光ビーム方式、液晶シャッター方式、ＤＭＤ方式又はＦＯＣＲＴ方式などの採用が可能である。
【００１５】
前記写真プリンタ２の動作について説明すると、図４に示すように、前記写真プリント管理装置３からプリントデータが入力されると（ＳＡ１）、２つの印画紙マガジン２１に納めたロール状の印画紙Ｐａの搬送を開始して（ＳＡ２）、前記シートカッター２２によりプリントサイズに切断するとともに（ＳＡ３）、前記バックプリント部２３により前記切断された印画紙Ｐａの背面に、図５に示すような画像番号等の注文管理番号Ｄａを前記プリントデータに基づいて印字する（ＳＡ４）。尚、前記注文管理番号Ｄａは、詳細については後述する前記写真プリント管理装置３により設定される。
【００１６】
そして、前記注文管理番号Ｄａが印字された印画紙Ｐａに対し、露光処理部２４で露光処理を行い（ＳＡ５）、この露光処理後の印画紙Ｐａを複数の現像処理槽を有した現像処理部２５に送って現像する（ＳＡ６）。また、前記現像処理された印画紙Ｐａを前記乾燥処理部２９で自然乾燥処理した後に（ＳＡ７）、前記乾燥処理された印画紙Ｐａを写真プリントＰｅとして、当該写真プリンタ２の上部の横送りコンベア２６に排出する。尚、前記写真プリンタ２は、前記写真プリントＰｅを排出することで、前記写真プリント検知手段３０により、前記排出された写真プリントＰｅを検知すると、その旨をプリント出力情報として前記写真プリント管理装置３へ出力する（ＳＡ８）。
【００１７】
そして、前記写真プリンタ２は、前記横送りコンベア２６に排出された写真プリントＰｅをソータ２７により所定の条件となるように仕分けする（ＳＡ９）。
【００１８】
尚、前記写真プリンタ２は、その起動状態を前記写真プリント管理装置３に起動確認信号として出力するように構成されている。つまり、当該写真プリンタ２が起動中には、前記起動確認信号を前記写真プリント管理装置３に出力し、また、当該写真プリンタ２が停止したときには、前記起動確認信号の出力を停止することで、前記写真プリント管理装置３が、当該写真プリンタ２の起動状態を判断可能なように構成されている。
【００１９】
前記写真プリント管理装置３の外観構成は、図２に示すように、現像済みの写真フィルムＦから画像をデジタル画像データとして読み込むフィルムスキャナ３１と、デジタルスチルカメラ等で撮影されたデジタル画像データが格納されたメモリカード等のデジタル画像記録メディアＭから前記デジタル画像データを読み取るメディアドライバ３２と、コントローラ３３としての汎用コンピュータ等とを備えて構成されている。尚、前記コントローラ３３には、汎用のオペレーティングシステムの管理下で動作し当該写真プリント管理装置３の各種制御が実行されるアプリケーションプログラムがインストールされ、オペレータとの操作インターフェースとしてモニタ３４、キーボード３５、マウス３６等が接続されている。
【００２０】
前記コントローラ３３のハードウェア及びソフトウェアの協働により実行される当該写真プリント管理装置３の機能ブロック構成は、図１に示すように、前記フィルムスキャナ３１または前記メディアドライブ３２により読み取ったデジタル画像データを一時記録する半導体のメモリ手段５０と、前記モニタ３４の画面にプリントオーダ情報や画像編集情報を表示するとともに、それらに対して必要なデータ入力のための操作用アイコンを表示するグラフィック操作画面の生成や、表示されたグラフィック操作画面に対する前記キーボード３５や前記マウス３６からの入力操作に基づいて各種の制御コマンドを生成するグラフィックユーザーインターフェース（ＧＵＩ）部５１と、前記キーボード３５や前記マウス３６から入力された写真プリント注文情報に基づいてプリントジョブリストを生成するジョブリスト生成処理部５２と、前記プリントジョブリストに基づいてプリントデータを前記写真プリンタ２に出力し、前記写真プリンタ２から入力されてくる前記プリント出力情報に基づいて前記プリントジョブリストを更新するジョブリスト更新処理部５３と、前記写真プリンタ２が強制停止したときに、前記プリントジョブリストに基づいて未出力のプリントジョブが実行されるように前記プリントジョブリストを補正する補正処理部５４を備えて構成されている。
【００２１】
前記ジョブリスト生成処理部５２は、前記キーボード３５や前記マウス３６を介してユーザによりデジタル画像データ毎に確定される、例えば、画像の濃度を補正する濃度補正値や、画像のコントラストを補正するコントラスト補正値、画像のカラーバランスを補正するカラー補正値、画像に特殊な補正を施すか否か等の写真プリント注文情報を、図６に示すように、前記デジタル画像データへのリンクデータに対応付けるとともに、そのそれぞれに注文管理番号Ｄａを付加することでプリントジョブデータＤｐ（ｉ）を生成し、更に、それを前記デジタル画像データ毎のリストにすることでプリントジョブリストＬｐを生成するように構成されている。
【００２２】
以下、前記ジョブリスト生成処理部５２の動作について図７のフローチャートに基づいて詳述する。前記メモリ手段５０に前記デジタル画像データが記録されると（ＳＢ１）、前記ジョブリスト生成処理部５２は、前記モニタ３４に、前記メモリ手段５０に記録されたデジタル画像データを画像として表示させるとともに、前記デジタル画像データに対するプリント注文情報の入力案内を表示させる（ＳＢ２）。
【００２３】
注文情報入力部としての前記キーボード３５や前記マウス３６を介して前記入力案内に基づいて行われるユーザからの入力操作により、当該写真プリント管理装置３に、前記表示されている画像に対する前記プリント注文情報が入力設定されると（ＳＢ３）、前記ジョブリスト生成処理部５２は、前記メモリ手段５０に記録されているデジタル画像データへリンクするためのリンクデータに前記プリント注文情報と前記注文管理番号を付加することでプリントジョブデータを生成する（ＳＢ４）。そして、前記メモリ手段５０に記録されたデジタル画像データが複数あるときには、ユーザにより任意に選択されるデジタル画像データに対して、順次、前記ステップＳＢ３及び前記ステップＳＢ４の処理が繰り返される（ＳＢ５）。
【００２４】
尚、前記デジタル画像データが複数あるときには、前記モニタ３４に所定枚数の画像から何れの画像をも任意に選択可能なように同時に表示させ、ユーザが選択した画像毎に前記プリント注文情報を設定していく構成としてもよいし、ユーザからの入力操作に基づいて表示画面を順次切り替えることで、未だ表示されていない画像を前記入力案内とともに新たに表示させ、表示画面毎に前記プリント注文情報を設定していく構成としてもよい。何れにしても、前記メモリ手段５０に記録されたデジタル画像データの何れに対しても、前記入力案内に基づいて前記プリント注文情報を入力設定可能な構成となっていればよい。
【００２５】
そして、ユーザにより選択される各デジタル画像データに対して前記プリントジョブデータの生成が終了すると（ＳＢ５）、前記ジョブリスト生成処理部５２は、前記生成したプリントジョブデータをリストにしたプリントジョブリストを生成する（ＳＢ６）。
【００２６】
つまり、前記ジョブリスト生成処理部５２は、前記メモリ手段５０に記録されたデジタル画像データから、ユーザが写真プリントとして前記写真プリンタ２からの出力を希望するデジタル画像データを選択するとともに、前記デジタル画像データに、ユーザが施したい編集条件を設定することで、デジタル画像データ毎にプリントジョブデータを生成し、更に、前記生成した各プリントジョブデータをリストにすることで、プリントジョブリストを生成するように構成されている。
【００２７】
前記ジョブリスト更新処理部５３は、前記プリントデータを生成して前記写真プリンタ２へ出力するプリントデータ生成出力部６０と、前記写真プリンタ２から入力されてくる前記プリント出力情報に基づいて前記プリントジョブリストを更新するプリントジョブリスト更新部６１を備えて構成されている。
【００２８】
前記プリントデータ生成出力部６０は、前記ジョブリスト生成処理部５２により生成されたプリントジョブリストに基づいて、つまり、リンクデータに基づいて前記メモリ手段５０から写真プリントを実行する対象となるデジタル画像データを抽出するとともに、前記写真プリント注文情報に基づいて前記抽出したデジタル画像データに編集処理を施し、それをプリントデータとして前記写真プリンタ２へ出力するように構成されている。
【００２９】
尚、前記プリントデータ生成出力部６０は、前記プリントデータを前記写真プリンタ２へ出力したときには、前記プリントジョブリストにおける前記写真プリンタ２へ出力したプリントデータに対応するプリントジョブデータに、前記写真プリンタ２へプリントデータを出力した旨のマーカとして、その出力日時を記録するように構成されている。また、前記プリントデータ生成出力部６０は、前記出力日時が記録されていないプリントジョブデータに対してプリントデータを生成するように構成されている。
【００３０】
更に、前記プリントデータ生成出力部６０は、前記写真プリント管理装置３から入力される起動確認信号が検出可能なときに、前記プリントデータの生成を実行し、前記起動確認信号が検出されないときには、その実行を留保するように、そして、一旦、その実行を留保したときには、詳細は後述の補正処理部５４からのリプリント信号の入力を待って、その留保の解除を行うように構成されている。
【００３１】
前記プリントジョブリスト更新部６１は、前記プリント出力情報が前記写真プリンタ２から入力されてくると、前記プリントジョブリストにおいて前記出力日時が最も過去の日時となっているプリントジョブデータを前記プリントジョブリストから削除することで、前記プリントジョブリストを更新するように構成されている。
【００３２】
以下、前記ジョブリスト更新処理部５３の動作について図８、図９のフローチャートに基づいて詳述する。前記ジョブリスト生成処理部５２により前記プリントジョブリストが生成されると（ＳＣ１）、前記プリントデータ生成出力部６０は、自らプリント出力確認フラグＦ１をセットする（ＳＣ２）。ここに、プリント出力確認フラグＦ１は、前記写真プリンタ２から入力される前記起動確認信号が検出されなくたったときにリセットされ、詳細は後述の補正処理部５４からのリプリント信号の入力により再びセットされるように構成されている。そして、前記起動確認信号は、上述したように、前記写真プリンタ２が正常に起動しているときに出力され、紙詰まりやその他の異常が生じて停止したとき、或いは、電源スイッチがオフされたときにオフされる信号である。
【００３３】
前記プリントデータ生成出力部６０は、前記プリント出力確認フラグＦ１がセットされていれば（ＳＣ３）、前記生成されたプリントジョブリストに基づいて前記出力日時が記録されていないプリントジョブデータを選択するとともに、前記選択したプリントジョブデータに基づいて前記メモリ手段５０から写真プリントの実行対象となるデジタル画像データを抽出する（ＳＣ４）。
【００３４】
そして、前記抽出したデジタル画像データに対応する写真プリント注文情報に基づいて前記抽出したデジタル画像データを編集処理することでプリントデータを生成し（ＳＣ５）、前記生成したプリントデータを前記写真プリンタ２へ出力する。（ＳＣ６）そして、前記プリントジョブリストにおける前記出力したプリントデータに対応するプリントジョブデータに、前記プリントデータの出力日時を記録する（ＳＣ７）。
【００３５】
そして、前記ステップＳＣ２から前記ステップＳＣ５の処理を、前記プリントジョブデータ毎に、前記出力日時が記録されていないプリントジョブデータが無くなるまで繰り返す（ＳＣ８）。
【００３６】
前記プリントジョブリスト更新部６１は、前記ジョブリスト生成処理部５２により前記プリントジョブリストが生成され（ＳＤ１）、前記プリント出力情報が前記写真プリンタ２から入力されてくると（ＳＤ２）、前記出力日時が最も過去の日時となっているプリントジョブデータを前記プリントジョブリストから削除することで、前記プリントジョブリストを更新する（ＳＤ３）。
【００３７】
そして、前記ステップＳＤ２から前記ステップＳＤ３の処理を、前記プリントジョブリストにプリントジョブデータが無くなるまで繰り返す（ＳＤ４）。
【００３８】
つまり、前記ジョブリスト更新処理部５３は、前記写真プリンタ２へ出力したプリントデータに対応するプリントジョブデータを、前記プリントデータに基づいた写真プリントが前記写真プリンタ２から出力されるのを待って、前記プリントジョブリストから削除するように構成されている。
【００３９】
前記補正処理部５４は、前記プリントジョブリストにプリントジョブデータが存在し且つ前記出力日時が記録されていて、前記写真プリンタ２から入力されてくる前記起動確認信号が途絶えたときに、前記プリントジョブリストに記録されている出力日時を消去するように構成されている。
【００４０】
つまり、前記補正処理部５４は、前記写真プリンタ２が写真プリント処理の実行中に強制停止したようなときに、前記ジョブリスト更新処理部５３により再度前記プリントデータを生成させるともに、前記生成したプリントデータを前記写真プリンタ２へ再出力させることで、前記強制停止前にプリントデータを出力しながらも前記写真プリンタ２から出力させることができなかった写真プリントと同一の写真プリントを、前記写真プリンタ２の再起動時に、前記写真プリンタ２によりリプリントさせるように構成されている。
【００４１】
また、前記補正処理部５４は、前記プリントジョブリストに記録されている出力日時を消去する前に、一旦、前記プリントジョブリストを前記モニタ３４に表示させるとともに、前記キーボード３５や前記マウス３６からの入力操作に基づいて、選択的に前記プリントジョブデータを消去することが可能なように構成されている。
【００４２】
つまり、前記補正処理部５４は、補正入力部としての前記キーボード３５や前記マウス３６を介したユーザからの操作により、前記写真プリンタ２を再起動させたときに、リプリントさせる必要のない写真プリントが前記写真プリンタ２によりリプリントされてしまうことを防止するために、リプリントの必要のないプリントジョブデータを消去することが可能なように構成されている。
【００４３】
以下、前記補正処理部５４の動作について図１０のフローチャートに基づいて詳述する。前記写真プリンタ２からの起動確認信号が途絶えると（ＳＥ１）、前記補正処理部５４は、前記写真プリンタが強制停止されたと判断し（ＳＥ２）、前記プリントジョブリストに出力日時が記録されているプリントジョブデータがあるか否かの確認を行う。つまり、前記写真プリンタ２において、所定のプリントジョブが実行されているプリントデータに対応するプリントジョブデータがあるか否かの確認を行う。
【００４４】
前記プリントジョブリストに出力日時が記録されているプリントジョブデータがあるときには（ＳＥ３）、ジョブリスト表示部としての前記モニタ３４に、補正入力部としての前記キーボード３５や前記マウス３６からの入力操作によって、ユーザが前記プリントジョブリストから任意のプリントジョブデータを削除可能なようにプリントジョブデータ削除案内画面を表示する（ＳＥ４）。
【００４５】
前記プリントジョブデータ削除案内画面には、例えば、図１１に示すように、前記写真プリンタ２からの起動確認信号が停止した時点でのプリントジョブリストＬｐと、前記プリントジョブリストから任意のプリントジョブデータを選択するカーソルＣａと、その削除を確定する削除アイコンＩｄと、リプリントを開始するリプリント開始アイコンＩｒ等が表示される。
【００４６】
ここで、前記写真プリンタ２からの起動確認信号が停止したときには、前記プリントデータ生成出力部６０は、前記起動確認信号が入力されていないことによりプリントデータの出力を留保している。また、前記プリントジョブリスト更新部６１は、前記写真プリンタ２の強制停止に伴って、前記プリント出力信号が入力されてこなくなることにより、少なくとも、前記写真プリンタ２が再起動されるまでは、前記プリントジョブリストを更新することもない。つまり、前記写真プリンタ２からの起動確認信号が停止したときには、前記写真プリンタ２が再起動されるまでは、前記写真プリンタ２からの起動確認信号が停止した時点でのプリントジョブリストが残っている。そして、前記プリントジョブリストが、前記プリントジョブデータ削除案内画面に、前記写真プリンタ２からの起動確認信号が停止した時点でのプリントジョブリストとして表示される。
【００４７】
つまり、前記プリントジョブデータ削除案内画面では、ユーザが、前記プリント注文情報を入力したデジタル画像データのうち、未だ前記写真プリンタ２から写真プリントとして出力されていないデジタル画像データが確認できるとともに、プリントデータとして前記写真プリンタ２に出力されているにもかかわらず、未だ前記写真プリンタ２から写真プリントとして出力されていないデジタル画像データをも確認することができるように構成されている。
【００４８】
また、前記プリントジョブデータ削除案内画面に表示されるプリントジョブリストに注文管理番号Ｄａを含むことにより、ユーザが、前記印画紙Ｐａの背面に印字されている注文管理番号Ｄａと、前記プリントジョブリストに含まれている注文管理番号Ｄａとによって、不必要にリプリントをさせたくないプリントジョブデータを容易に見分けることができるように構成されている。
【００４９】
尚、前記補正処理部５４は、前記モニタ３４に、図１２に示すように、前記プリントジョブリストに対して前記プリントジョブデータ毎に、それぞれに対応するサムネイル画像を付加して表示する構成としてもよい。ユーザは、不必要にリプリントをさせたくないプリントジョブデータを、より容易に見分けることが可能となる。
【００５０】
前記補正処理部５４は、前記補正入力部としての前記キーボード３５やマウス３６を介したユーザからの入力操作により、前記プリントジョブリストから任意のプリントジョブデータが選択され、前記削除アイコンＩｄの操作によりその削除が確定されると（ＳＥ５）、削除が確定されたプリントジョブデータを前記プリントジョブリストから削除し（ＳＥ６）、前記プリントジョブデータが削除されたプリントジョブリストに更新されたプリントジョブデータ削除案内画面を表示する（ＳＥ７）。
【００５１】
また、前記リプリントアイコンＩｒが操作されると（ＳＥ７）、前記プリントジョブリストに記録されている前記出力日時を削除するとともに（ＳＥ８）、前記プリントデータ生成出力部６０へ前記リプリント信号を出力する（ＳＥ９）。つまり、前記プリント出力確認フラグＦ１をセットする。
【００５２】
このとき、前記写真プリンタ２が再起動されていれば、前記プリント出力確認フラグＦ１のセット状態が維持され、前記ジョブリスト更新処理部５３が、上述したようなプリントデータの生成出力を再開する。
【００５３】
つまり、写真プリンタが強制停止したときに、目視によりそのまま商品として使用できると判断できる写真プリントがあったときに、前記使用できると判断できる写真プリントに対応するプリントジョブデータを前記プリントジョブリストから削除すれば、前記写真プリンタ２が再起動したときに、商品として使用できると判断できる写真プリントと同一の写真プリントを重複して前記写真プリンタ２から出力させずに、必要な写真プリントのみを出力させることができる。
【００５４】
以下、別の実施形態について説明する。上述の実施形態では、写真プリンタ２に、銀塩式写真プリンタを適用した場合について説明したが、前記写真プリンタ２には、インクジェット式プリンタを適用してもよい。
【００５５】
また、プリントジョブデータ削除案内画面は、図１１のような表示に限らず、プリントジョブデータの中で、写真プリンタ内に滞留して未だ写真プリンタから出力されていないものだけを表示する形であっても良い。つまり、滞留された写真プリントジョブのリプリントを取捨選択するだけで、写真プリンタ再起動時に当初プリントを望んだ写真プリントを結果として得ることができる。
【００５６】
尚、上述した実施形態は、本発明の一例に過ぎず、本発明の作用効果を奏する範囲において各ブロックの具体的構成等を適宜変更設計できることは言うまでもない。
【図面の簡単な説明】
【００５７】
【図１】写真プリント管理装置の機能ブロック構成の説明図
【図２】写真プリントシステムの外観構成の説明図
【図３】写真プリンタの説明図
【図４】写真プリンタの動作を説明するためのフローチャート
【図５】印画紙の背面に印字された注文管理番号の説明図
【図６】プリントジョブリストの説明図
【図７】ジョブリスト生成処理部の動作を説明するためのフローチャート
【図８】プリントデータ生成出力部の動作を説明するためのフローチャート
【図９】プリントジョブリスト更新部の動作を説明するためのフローチャート
【図１０】補正処理部の動作を説明するためのフローチャート
【図１１】プリントジョブデータ削除案内画面の説明図
【図１２】サムネイル画像が含まれているプリントジョブリストの説明図
【符号の説明】
【００５８】
１：写真プリントシステム
２：写真プリンタ
３：写真プリント管理装置
３３：コントローラ
３４：モニタ
３５：キーボード
３６：マウス
５０：メモリ手段
５１：ＧＵＩ
５２：ジョブリスト生成処理部
５３：ジョブリスト更新処理部
５４：補正処理部
６０：プリントデータ生成出力部
６１：プリントジョブリスト更新部
【図１】
2007148620.tif 000003
【図２】
2007148620.tif 000004
【図３】
2007148620.tif 000005
【図４】
2007148620.tif 000006
【図５】
2007148620.tif 000007
【図６】
2007148620.tif 000008
【図７】
2007148620.tif 000009
【図８】
2007148620.tif 000010
【図９】
2007148620.tif 000011
【図１０】
2007148620.tif 000012
【図１１】
2007148620.tif 000013
【図１２】
2007148620.tif 000014